(57)【特許請求の範囲】
【請求項１】
ワークを吸着によって保持して搬送する搬送装置の先端に取り付けられる真空チャックであって、
大気圧よりも圧力が小さい減圧源に接続する減圧源接続口と、
ワークを吸着する吸着口と、
気密性を有し、前記減圧源接続口と前記吸着口の間に形成された減圧路と、
前記減圧路を開閉する減圧路開閉弁と、
大気圧よりも圧力が大きい加圧源に接続する加圧源接続口と、
気密性を有し、前記加圧源接続口と、前記減圧路開閉弁よりも前記ワーク側の前記減圧路との間に常時開状態に形成された加圧路と、
を具備したことを特徴とする真空チャック。
【発明の詳細な説明】
【技術分野】
【０００１】
本発明は、真空チャックに関し、例えば、腕時計の組立ラインで微少な部品を吸着して搬送するものに関する。
【背景技術】
【０００２】
近年、腕時計、家電製品、マイクロマシンなど、微細な部品を用いた製品を組み立てる組立ラインの自動化が進んでいる。
これら組立ラインでは、ベルトコンベアを用いて組立品が上流工程から下流工程に送られ、ベルトコンベアに隣接して設置された組立装置が組立品に部品を順次追加していく。
このような微少部品を扱う組立装置では、真空チャックが多用されている。真空チャックは、組立装置のアーム先端などに取り付けられ、真空ポンプによる吸引によって部品を部品供給エリアで吸着し、吸引を停止することにより組立品の組立位置に部品を放す。
【０００３】
このような従来の真空チャックの仕組みについて図４を用いて説明する。
アーム先端部１には真空チャック部１０２が取り付けられている。アーム先端部１、及び真空チャック部１０２の内部には減圧路８が形成されており、減圧路８は、チューブなどの配管や汎用の電磁弁１０３を介して真空ポンプ１０１に接続している。
【０００４】
真空ポンプ１０４は、常時排気動作を行っており、電磁弁１０３を開くと減圧路８の排気が行われて真空チャック部１０２の開口部７に部品１１が吸着され、電磁弁１０３を閉じると減圧路８の排気が中断されて部品１１が開口部７から離脱する。
このような真空チャックを用いた技術としては次の「真空チャックを搭載したマニピュレータ及び部品組立方法」がある。
【０００５】
【特許文献１】特開２００２−２５４３８０公報
【０００６】
この技術は、マニピュレータ（アーム）の先端に真空チャックの位置を微調整する機構を設けることにより、位置決め精度の向上などを図るものである。
【発明の開示】
【発明が解決しようとする課題】
【０００７】
従来の組立装置では、開口部７と電磁弁１０３との配管距離が長かったため（例えば、数１０［ｃｍ］以上）、電磁弁１０３の開閉の効果が開口部７に到達するのに時間がかかるという問題があった。
即ち、配管内の容積を排気する必要があるため、電磁弁１０３が開いてから開口部７に十分な吸着力が働くまでにタイムラグが生じる。
そのため、開口部７を部品１１に当てて電磁弁１０３を開いてから部品１１が吸着されるまでに時間を要し、更に、電磁弁１０３を閉じてから部品１１が離脱するまでにも時間を要する。
【０００８】
近年は、単位時間当たりの生産性を高めるために部品の取り付け時間を極限まで短縮することが重要視されているが、電磁弁１０３の開閉操作と開口部７での応答に遅延があるため、時間短縮に限界があった。このため、このような構成は高速の組立装置には適していなかった。
なお、特許文献１の技術では、このような問題を解消することが可能であるが、チャックが大型化し、微細部品の組立には適していない。
【０００９】
そこで、本発明の目的は、簡略化された構成の真空チャックにより、単位時間当たりの取り扱い部品数を増やすことである。
【課題を解決するための手段】
【００１０】
本発明は、前記目的を達成するために、ワークを吸着によって保持して搬送する搬送装置の先端に取り付けられる真空チャックであって、大気圧よりも圧力が小さい減圧源に接続する減圧源接続口と、ワークを吸着する吸着口と、気密性を有し、前記減圧源接続口と前記吸着口の間に形成された減圧路と、前記減圧路を開閉する減圧路開閉弁と、大気圧よりも圧力が大きい加圧源に接続する加圧源接続口と、気密性を有し、前記加圧源接続口と、前記減圧路開閉弁よりも前記ワーク側の前記減圧路との間に常時開状態に形成された加圧路と、を具備したことを特徴とする真空チャックを提供する。
【発明の効果】
【００１１】
本発明によれば、簡略化された構成の真空チャックにより、単位時間当たりの取り扱い部品数を増やすことができる。
【発明を実施するための最良の形態】
【００１２】
（１）実施の形態の概要
真空チャック部の減圧路にニードル弁を設け、これを開閉することにより部品の吸着と離脱を行う。ニードル弁と真空チャックの開口部は近接しているので、ニードル弁の開閉による効果が即座に開口部に現れる。また、変形例として、チャック部に加圧路を設け、部品の離脱時に部品表面を加圧することにより離脱を促進する。
【００１３】
（２）実施の形態の詳細
図示しないが、本実施の形態に用いる組立装置は、予めプログラムされた軌跡に沿って移動するアームを有しており、アームの先端には部品（ワーク）を吸着及び離脱する真空チャックが装着されている。
組立装置は、アームを移動して部品供給エリアから部品を取り出してこれを組立品の位置まで搬送し、組立品の部品配置位置にてこれを離脱する。このようにして部品が配置された組立品は、ベルトコンベアなどの搬送装置により次工程に送られる。
組立装置は、ワークを吸着によって保持して搬送する搬送装置を構成している。
【００１４】
以下に、図１の各図を用いて本実施の形態のチャック部について説明する。
図１（ａ）は、アーム先端部１の構造を説明するための断面図であり、後述のニードル弁６が開状態となっており、部品１１が吸着されているところを示している。
アーム先端部１は凸部を有する円柱部材であり、中心軸上に減圧路８が形成されている。
図示しないが、減圧路８は、例えば、ロータリーポンプやその他の真空ポンプなどの排気装置によって排気されており、組立装置の稼働中は大気圧よりも圧力が低い状態に保たれている。排気装置と共に減圧路８は、大気圧よりも圧力が小さい減圧源を構成している。
【００１５】
チャック部２は、アーム先端部１の凸部に勘合する凹部が形成された金属製の円柱部材であり、外寸は、おおよそ、直径１５［ｍｍ］、高さ２０［ｍｍ］である。ただし、この外寸は一例であって、チャック部２の外寸を限定するものではない。
アーム先端部１の凸部とチャック部２の凹部が勘合することによりチャック部２の組立装置に対する位置決めがなされる。
チャック部２の中心軸上にはアーム先端部１の減圧路８と接続口９にて接続する減圧路８ａが形成されており、減圧路８ａの先端には開口部７が形成されている。減圧路８ａは気密性を有している。
ここで、開口部７は吸着口に該当し、接続口９は減圧源接続口に該当し、減圧路８ａは、気密性を有する減圧路に該当する。
チャック部２の側面には、凹部を貫通するねじ穴１０が設けられており、ねじの先端によってアーム先端部１の凸部を押圧することにより、チャック部２はアーム先端部１に固定される。
【００１６】
このように、チャック部２を取り外し式としたのは、他種類の部品に対応するためである。
即ち、開口部７は部品の吸引に適した形状や寸法に形成されており、扱う部品に応じてチャック部２を取り替えることにより、１台の組立装置で他種類の部品に対応することができる。
【００１７】
減圧路８ａの接続口９と開口部７の間には、ニードル弁６が設けられている。ニードル弁６は、先端が円錐形状に形成された針状の円柱部材であって、減圧路８ａと垂直に交叉している。ニードル弁６は、鉄など、磁石によって吸引される磁性部材によって構成されている。
ニードル弁６の中心線と減圧路８ａの中心線は一致し、また、ニードル弁６の円柱部分の外径は減圧路８ａの内径以上となっている。
【００１８】
チャック部２には、ニードル弁６が中心軸方向にスライドして移動するための移動路１２が形成されている。
ニードル弁６の円錐部分が減圧路８ａと交叉する位置にある場合は、減圧路８ａを気体が移動することができ、ニードル弁６の円柱部分が減圧路８ａと交叉する位置にある場合は、気体の移動がニードル弁６によって妨げられる。このようにニードル弁６は、減圧路を開閉する減圧路開閉弁を構成している。
【００１９】
ニードル弁６の後端（円錐部分と対向する側）方向には電磁石を構成する円筒状のコイル３が設けられている。
コイル３の中心軸とニードル弁６の中心軸は一致するように配置されている。コイル３の中心には鉄心４が設けられており、コイル３が励磁された場合に鉄心４が磁化するようになっている。
鉄心４の端部とニードル弁６の後端は、ばね５によって連結されている。ばね５の自然長は、ニードル弁６の円柱部が減圧路８ａと交叉した位置となる長さである。即ち、ばね５が自然長の状態では、減圧路８ａはニードル弁６により閉状態（遮断状態）となる。
【００２０】
コイル３を励磁すると鉄心４が磁化し、鉄心４により集中した磁界によってニードル弁６が鉄心４に吸引される。鉄心４の吸引力は、ばね５の弾性力よりも大きくなるように励磁され、これによってニードル弁６は、ばね５の弾性力に抗して鉄心４方向にスライドして移動する。
ニードル弁６が鉄心４の方向に移動すると、図に示したようにニードル弁６の円錐部分が減圧路８ａと交叉し、減圧路８ａを気体が移動できるようになる。
【００２１】
以上のように、コイル３に電流を供給する（オンの状態）とニードル弁６が開き、電流の供給を停止する（オフの状態）とニードル弁６が閉じる。一方、減圧路８は排気装置によって組立装置の稼働中は減圧されている。
そのため、コイル３をオンにするとニードル弁６が開いて開口部７に吸引力が発生し、コイル３をオフにするとニードル弁６が閉じて吸引力が消失する。
組立装置は、アームが部品１１を供給エリアに移動して開口部７を部品１１の表面に置いた直後にコイル３をオンし、アームを移動して部品１１を組立品の所定位置に移動した直後にコイル３をオフする電源装置を備えている。
【００２２】
開口部７は、減圧路８ａの末端に形成されており、コイル３のオン時に部品１１を吸引してこれを保持する。
即ち、部品１１の開口部７側は大気圧よりも小さい圧力が作用し、開口部７と対向する側には大気圧が作用するため、この圧力差により部品１１は開口部７に吸引される。なお、この圧力差は、部品１１を空間中で保持するのに十分な値となるように減圧路８の圧力は設定されている。
部品１１は、例えば、腕時計に使用する歯車や歯車を支える筐体、組立品の完成物など、組立装置のアームによって移動するものである。
歯車の場合、部品１１の典型的な諸元は直径３［ｍｍ］、厚さ０．１［ｍｍ］、重さ１０［ｍｇ］程度である。なお、これらの値は一例であって、部品１１の諸元を限定するものではない。
【００２３】
図１（ｂ）は、ニードル弁６が開いた状態を示している。
ニードル弁６が閉じると、減圧路８ａが遮断され、減圧路８の排気が減圧路８ａに及ばなくなる。また、開口部７と部品１１との隙間から大気が漏れ入るため、開口部７の圧力と大気圧との圧力差が小さくなり、部品１１は自重によって開口部７から離脱する。
【００２４】
以上のように、本実施の形態のチャック部２では、ニードル弁６を開口部７に近接して設けたため、ニードル弁６の開閉による効果がほとんど瞬時に開口部７に及ぶ。
そのため、部品１１を吸着、及び離脱するのに要する時間が短縮され、単位時間当たりの組立個数が向上する。
本発明者らの実験によると、従来のチャックではサイクルタイムが１秒程度であったが、本実施の形態のチャック部２を採用することにより０．３秒程度まで短縮することができ、単位時間当たりの取り扱い部品数を３倍程度に増やすことができた。
【００２５】
次に、図２のフローチャートを用いて組立装置の動作について説明する。
組立装置では、真空ポンプを稼動して継続的に減圧路８を排気すると共にニードル弁６は閉じているものとする。
まず、組立装置は、アームを原点復帰する（ステップ５）。組立装置は、コンピュータプログラムに基づいてアームを数値制御し、高精度な速度制御、位置制御ができるようになっている。そして組立装置の起動時には、原点復帰を行って機械系の原点とソフトウェア系の原点を一致させる。
【００２６】
次に、組立装置は、アームを基準位置に移動する（ステップ１０）。基準位置はコンピュータプログラムによって適当に決められている。
次に、組立装置は、アームを部品供給エリアに移動し、部品供給エリアの定位置に置かれている部品１１を開口部７に当てる（ステップ１５）。
次に、組立装置は、ニードル弁６を開いて開口部７を減圧し、開口部７に部品１１を吸着する（ステップ２０）。
なお、部品供給エリアでは、部品１１が組立装置にて持ち去られると、次の部品１１が定位置に繰り出されるようになっている。
【００２７】
組立装置は、部品１１を吸着すると、アームを組立品が置かれている位置に移動し（ステップ２５）、ニードル弁６を閉じて、部品１１を組立品の所定位置にて離脱する（ステップ３０）。これによって組立品に部品１１が追加される。
組立品は、ベルトコンベアなどによって搬送されてくるが、組立品の送りと組立装置の動作は同期しており、組立装置が部品１１をセットする際には組立品が所定位置に置かれるようになっている。
【００２８】
組立品は、部品１１が追加されると、ベルトコンベアなどによって次工程の組立装置が設置されている場所まで搬送される。
組立装置は、部品１１を組立品に追加すると、更に組立を続行するか否かを判断する（ステップ３５）。組立を続行する場合（ステップ３５；Ｙ）、組立装置はステップ１０に戻りアームを基準位置に移動する。
組立を終了する場合（ステップ３５；Ｎ）、組立装置は、アームを原点復帰して動作を終了する。
【００２９】
以上に説明した本実施の形態により次のような効果を得ることができる。
（１）開口部７に近接してニードル弁６を設置したため、排気に要する容積を極小にすることができる。そのため、ニードル弁６を開いた直後に部品１１を吸着することができ、ニードル弁６を閉じた直後に部品１１を離脱することができるため、時間の損失が少なくなる。
（２）ニードル弁６の制御と部品１１の吸着・離脱の時間差が小さいため、サイクルタイムを縮小することができ、単位時間当たりの生産数を増大することができる。
（３）チャック部２は、小型に構成することができるため、微細部品の組立に適している。
（４）チャック部２は、取り替え可能であるため、部品１１に適したものをアーム先端部１に装着することができる。そのため、１台の組立装置によって他種類の部品１１に対応することができる。
【００３０】
なお、本実施の形態では、ニードル弁６によって減圧路８ａの開閉を行ったが、これは減圧路開閉手段をニードル弁６に限定するものではなく、その他の種類の開閉手段を用いることもできる。
また、組立装置では減圧路８の排気に真空ポンプなどを用いたが、減圧路８の圧力と大気圧の間に所望の圧力差が生じればよく、他の方法を用いて排気してもよい。
【００３１】
（実施の形態の変形例）
図３（ａ）は、実施の形態の変形例に係るチャック部の構造を示した断面図である。先に説明した実施の形態に対応する構成要素には同じ符号を付し、説明を簡略化又は省略する。
アーム先端部１ａは、減圧路８を有する他、加圧路２１を備えている。組立装置は加圧装置を備えており、これによって加圧路２１には大気圧よりも大きな圧力が加えられている。加圧装置と加圧路２１は加圧源を構成している。
アーム先端部１ａは、先端が凸部に形成されており、チャック部２ａに形成された凹部と勘合するようになっている。
【００３２】
チャック部２には、接続口９にて減圧路８と接続する減圧路８ａと、接続口２４にて加圧路２１と接続する加圧路２１ａが形成されている。減圧路８ａと加圧路２１ａは開口部７側（ワーク側）で合流して気密路２２となっており、これらは気密性を有している。
接続口２４は、加圧源に接続する加圧源接続口を構成し、開口部７は、部品１１を吸着する他加圧するためワーク表面を加圧する加圧口を構成し、加圧路２１ａと気密路２２は加圧路を構成している。
【００３３】
減圧路８ａと加圧路２１ａの合流点よりもアーム先端部１ａ側には、ニードル弁６ａが設けられている。
減圧路８ａと加圧路２１ａは平行に形成されており、ニードル弁６ａは、これら減圧路８ａ、加圧路２１ａと垂直に交叉するように配置されている。
ニードル弁６ａは、移動路１２ａを軸線方向にスライドして移動するようになっている。ニードル弁６ａをばね５の弾性力、及びコイル３と鉄心４による磁力によって移動する機構は先に実施の形態で説明したニードル弁６と同じである。
【００３４】
ニードル弁６ａは、減圧路８ａ、加圧路２１ａの内径よりも大きな外径を有する大円柱部と、減圧路８ａ、加圧路２１ａの内径よりも小さな外径を有する小円柱部が同心に形成されている。小円柱部は、所定間隔を隔てて２カ所形成されている。
小円柱部の間隔は、減圧路８ａ、加圧路２１ａの間隔よりも小さく設定されており、小円柱部の一方が減圧路８ａの位置にある場合は、加圧路２１ａには大円柱部が位置し、小円柱部の他方が加圧路２１ａの位置にある場合は、減圧路８ａには大円柱部が位置する。
減圧路８ａ、及び加圧路２１ａは、大円柱部が位置する場合は閉状態となって気体の移動が阻止され、小円柱部が位置する場合は開状態となって気体が移動することができる。
【００３５】
ニードル弁６ａの移動量は、コイル３がオンになってニードル弁６ａが鉄心４に吸引された場合、減圧路８ａが開状態となって加圧路２１ａが閉状態になり、また、コイル３がオフになってばね５の弾性力によってニードル弁６が反発された場合、減圧路８ａが閉状態となって加圧路２１ａが開状態となる量に設定されている。なお、図３（ａ）は、減圧路８ａが開状態であり、加圧路２１ａが閉状態となっている場合を示している。
【００３６】
以上のように構成されたチャック部２ａで、コイル３をオンにすると減圧路８ａが開状態、加圧路２１ａが閉状態となるため、気密路２２、及び開口部７は減圧される。
一方、コイル３をオフにすると減圧路８ａが閉状態となり加圧路２１ａが開状態となるため気密路２２、及び開口部７は加圧される。
このようにニードル弁６ａは、加圧路２１ａのニードル弁と減圧路８ａのニードル弁を連接した構造となっており、一方が開状態のときに他方を閉状態とする連動部材を構成している。
図３（ｂ）は、コイル３をオフにし、開口部７を加圧したところを示している。図に示したように、部品１１が開口部７に吸引された状態でコイル３をオフにすると開口部７が大気圧よりも高い圧力に加圧され、部品１１を速やかに離脱することができる。
【００３７】
先に説明した実施の形態では、部品１１の離脱は、開口部７の排気が停止し、部品１１と開口部７の間から漏れ入った気体によって開口部７から部品１１が離脱したが、本変形例では、加圧路２１ａによって開口部７の圧力を積極的に加圧することにより、より短時間で速やかに部品１１を離脱することができる。
ここで、加圧路２１ａによって加圧する圧力は、大気圧よりも若干高めの圧力でよい（即ち、加圧量は微少でよい）ため、次のような更なる変形例も可能である。
【００３８】
組立装置は、減圧路８での単位時間当たりの排気量を十分に大きくし、加圧路２１の加圧量を微少に保つ。このような条件の下、ニードル弁６ａによる開閉は減圧路８ａに対して行い、加圧路２１は常時開状態とする。
このように構成すると、ニードル弁６ａが開状態の場合の開口部７での減圧値は、減圧路８ａによる減圧値から加圧路２１による加圧値を減算した値であり、この値が部品１１を吸引・保持するのに十分な値であれば、加圧路２１ａは常時開状態とすることができる。このように構成すると、加圧路２１ａはニードル弁６ａによる開閉制御が必要ないのでチャック部２ａの構成が簡略化される。
【００３９】
以上に説明した本変形例によると、部品１１の離脱をより確実に、かつ迅速に行うことができ、マシンサイクルの更なる短縮化、及び組み立て作業の信頼性を高めることができる。
なお、本変形例では、ニードル弁６ａにより、減圧路８ａと加圧路２１ａの開閉を同時に行ったが、減圧路８ａと加圧路２１ａに個別にニードル弁を設けてもよい。
この場合は、減圧路８ａを開く場合は加圧路２１ａを閉じ、減圧路８ａを閉じる場合は加圧路２１を開くように各ニードル弁を制御する。
更に、本変形例では、減圧路８ａと加圧路２１ａが気密路２２に合流したが、減圧路８ａと加圧路２１ａが別々の開口部を有するように構成することもできる。
【図面の簡単な説明】
【００４０】
【図１】本実施の形態のチャック部について説明するための図である。
【図２】組立装置の動作を説明するためのフローチャートである。
【図３】変形例に係るチャック部について説明するための図である。
【図４】従来の真空チャックについて説明するための図である。
【符号の説明】
【００４１】
１  アーム先端部
２  チャック部
３  コイル
４  鉄心
５  ばね
６  ニードル弁
７  開口部
８  減圧路
９  接続口
１０  ねじ穴
１１  部品
【図１】
0004544529.tif 000002
【図２】
0004544529.tif 000003
【図３】
0004544529.tif 000004
【図４】
0004544529.tif 000005